(57)【要約】【課題】家具の棚板はダボ穴などの規定の位置にしか固定できない。【解決手段】対向壁面間において任意の高さに固定することができる自在棚板であって、自在棚板の少なくとも一端側の側面には自在棚板と壁面の間に介在して自在棚板を壁面に圧着固定する圧着部材を設けることで収納家具の側板の任意の高さに棚板を取り付け取り外しできる。【選択図】図３
2019063263.tif 000002
【特許請求の範囲】
【請求項１】
対向壁面間において任意の高さに固定することができる自在棚板であって、自在棚板の少なくとも一端側の側面には自在棚板と壁面の間に介在して自在棚板を壁面に圧着固定する圧着部材が設けられていることを特徴とする自在棚板。
【請求項２】
圧着部材はＵ字状の板バネで壁面側に圧接部を有することを特徴とする請求項１に記載の自在棚板。
【請求項３】
圧着部材はコイルバネにより壁面側に付勢される圧接部を有することを特徴とする請求項１に記載の自在棚板。
【請求項４】
収納家具の対向する側板間の高さ方向の任意の位置に請求項１乃至３に記載の自在棚板を圧着固定することを特徴とする自在棚板を用いた収納家具。
【発明の詳細な説明】
【技術分野】
【０００１】
本発明は、対向壁面間において任意の高さに固定することができる自在棚板及び該自在棚板を用いた収納家具に関するものである。
【背景技術】
【０００２】
従来より、収納家具の棚板は左右の側板に所定間隔で同じ高さになるようにダボ穴を設け、棚ダボと呼ばれる金属製のダボで棚板の底面四隅に設けた溝を受けて棚板を固定する方法が用いられており、これによって、ダボの取付位置を自由に選択できるので、棚板の高さを調整することができるが、ダボ穴を多数開けると側板の強度に影響し意匠性も悪くなる。さらに、いくら多数のダボ穴を設けてもｍｍ単位で任意の高さに棚板を固定することはできず、収納物と上側の棚板との間に無駄な隙間が空き、効率的な収納ができなかった。
【０００３】
この問題点を解決するために、特許文献１には、バネ圧縮により対向する所定壁間に突っ張り形式で取り付けられるものであり、相対向する枠板間に複数本の管（内管が摺動自在に外管に挿入され）が任意箇所で固定されるようになっており、片方の枠板にはネジを回転することでばねの圧縮力が調整でき、壁面に棚板を圧着固定できる圧着部材を設けた伸縮自在棚が開示されており、対向壁面間において任意の高さに固定することができる。
【０００４】
しかし、この棚板はパイプ状のものであって、小さな収納物は隙間から落下し、一般的な収納家具の棚として外観上もそぐわない。これに対して、特許文献２には、棚板の一端側に棚板取付具を設けて対向壁面間に取り付ける棚板が開示されている。この棚板取付具は、通常の棚板にネジ止めすることができ、コイルスプリングで圧着面を壁面側に突っ張り固定する圧着部材を有し、壁面への圧着は調整ナットを回転させて行う。
【先行技術文献】
【特許文献】
【０００５】
【特許文献１】実公平２−４６０４号公報
【特許文献２】実公平３−３６２５９号公報
【発明の概要】
【発明が解決しようとする課題】
【０００６】
しかし、棚板の一端部下方側には小型とはいえ圧着部材が出っ張り、例えば書籍を並べる場合はせっかく書籍の高さに合わせて棚板を設置しても端部側は書籍を並べることができず隙間が開くことになり効率的な収納ができない。さらに、調整ナットは小型で棚板の下面部分に位置するため調整が面倒である。
【０００７】
本発明は、このような問題点に鑑みてなされたものであり、その目的は、対向壁面間において任意の高さに簡単に固定でき、見映えも良い自在棚板及び該自在棚板を用いた収納家具に関するものである。
に関するものである。
【課題を解決するための手段】
【０００８】
第１の発明は、対向壁面間において任意の高さに固定することができる自在棚板であって、自在棚板の少なくとも一端側の側面には自在棚板と壁面の間に介在して自在棚板を壁面に圧着固定する圧着部材が設けられていることを特徴とする。
【０００９】
この第１の発明では、対向壁面間において任意の高さに固定するために、自在棚板の少なくとも一端側の側面には自在棚板と壁面の間に介在して自在棚板を壁面に圧着固定する圧着部材が設けられているので、自在棚板はダボや金具を使わなくても圧着部材の圧着力によって壁面に対して突っ張り状態で固定される。
したがって、自在棚板の取り付け取り外しを簡単におこなうことができ、取り外した後に見えるようなダボや金具がないので、美麗な外観が得られる。
【００１０】
第２の発明は、請求項１に記載の自在棚板の発明をさらに具体的に示したもので、圧着部材はＵ字状の板バネで壁面側に圧接部を有することを特徴とする。
【００１１】
この第２の発明では、圧着部材はＵ字状の板バネであり、単純な板バネの反発力が自在棚板、壁面の間に介在して、双方向への付勢力を利用して圧接力で固定される。さらに板バネの壁面側に突状の圧接部を設けることで単位面積当たりの圧接力が大きくなり強固に固定できる。
【００１２】
第３の発明は、請求項１に記載の自在棚板の発明をさらに具体的に示したもので、圧着部材はコイルバネにより壁面側に付勢される圧接部を有することを特徴とする。    
【００１３】
この第３の発明では、コイルバネにより壁面側に付勢される圧接部部の圧接力で壁面に固定される。これによると棚板の正面側からはバネ部分は見えないので、より見映えの良い自在棚板が得られる。
【００１４】
第４の発明は、請求項１乃至３に記載の自在棚板を用いた収納家具に関するもので、収納家具の対向する側板間の高さ方向の任意の位置に自在棚板を圧着固定することを特徴とする。
【００１５】
第４の発明では、前記の自在棚板を用いた収納家具で、任意の高さに自在棚板を固定することができるので、収納家具の無駄な隙間を無くすことができ効率の良い収納ができる。
【発明の効果】
【００１６】
本発明によると、簡単な構造で壁面の任意の高さに固定でき、自由に固定位置を変える自在棚板が得られる。また、この自在棚板を収納家具に用いれば、収納家具の側板のどの位置でも任意の高さに、固定することができるので、無駄な隙間を無くすことができ効率の良い収納ができる。  
【図面の簡単な説明】
【００１７】
【図１】本発明の自在棚板の斜視図である。
【図２】本発明の圧着部材（板バネ）の斜視図である。
【図３】本発明の自在棚板と圧着部材（板バネ）の関係を示す斜視図である。
【図４】本発明の収納家具の正面図である。
【図５】図４の一部分（棚板）を示す正面図である。
【図６】本発明の別の圧着部材（コイルバネ）を設ける自在棚板の一部を示す斜視図である。
【図７】本発明の別の圧着部材（コイルバネ）を装着した自在棚板と壁面の底面図である。
【図８】本発明の別の圧着部材（コイルバネ）を装着した自在棚板と壁面の側面から見た断面の概略図である。
【発明を実施するための形態】
【００１８】
以下、本発明の実施形態を図面に基づいて詳細に説明する。なお、以下の実施形態は、本質的に好ましい例示であって、本発明、その適用物、あるいはその用途の範囲を制限することを意図するものではない。
【００１９】
図１は、本発明の本発明の自在棚板１の斜視図である。正面部１ａに対して左右の側面部１ｂに溝を設けて、以下で説明する圧着部材（板バネ）２を挿入する挿入部１ｃを設けている。なお、図３に示している自在棚板１は溝が背面まで連続せず、背面側には側面から見るとコ字状に壁ができている。この部分は突き付け部１ｄで、圧着部材２が背面側に落下しないように設けても良い。
【００２０】
圧着部材２は、金属又は樹脂からなる板バネを略中央での折り返し部２ｂで折り返し、弾性力を有する圧着部材２を形成している。折り返した板バネの壁面側に２箇所の角柱状の突接する圧接部２ｃを設けており、板バネの反発力が小さな面積の圧接部にかかるので単位面積当たりの圧接力が大きくなり強固に固定できる。なお、圧接部２ｃは図３に示すように壁への当接面の摩擦力を大きくするために、凹凸面にしたり摩擦力の大きなシートを貼る等した圧接部２ｃ‘としても良い。
【００２１】
自在棚板１は、対向壁面間において任意の高さに固定することができるものであり、室内の壁面間に設けることもできるが、図４に示すような収納家具４に複数枚の自在棚板１を設置すれば、従来の収納家具のように、ダボ穴の位置に限定されず任意の高さに固定することができる。図５は図４に示す収納家具４の一部分の棚板を現したものである。自在棚板１はその挿入部１ｃに挿入された圧着部材２により、その任意の高さに圧着固定されている。なお、対向壁面は収納家具の側板４ａだけでなく室内の壁面３でも良い。
【００２２】
自在棚板１の収納家具４への取付方法は、圧着部材２を自在棚板１の挿入部１ｃに挿入した後、両端部２ａを指で摘んで板バネ２を凹ませて側板４ａの所望の位置に合わせて、指を離して板バネ２を膨らませて圧着固定する。なお、圧着部材（板バネ）２は自在棚板１の両端に用いる方が平均的に力がかかるので好ましいが、一方の端部に用いても良い。
これによれば、自在棚板１の正面側から圧着部材２を操作して、取り付け取り外しの操作ができるので、棚板の移動が容易に行える。
【００２３】
図６には、別の圧着部材（コイルバネ）５を用いる場合の自在棚板１の一部が示されている。この図は説明がし易いように底面（下面）を上にしている。
側面部１ｂから彫られた挿入部１ｃ（２つの円）は底面側に彫られた空間（２つの四角形）に内部で連通している。
【００２４】
挿入部１ｃに圧着部材（コイルバネ）５を装着した自在棚板と壁面の底面図と側面から見た断面の概略図を図７、図８に示す。  
圧着部材５は、コイルバネ５ａ、調整片５ｂ、軸部５ｃ、圧接部５ｄからなる。
【００２５】
コイルバネ５ａで調整片５ｂが外側に押され調整片５ｂから外部に突接する軸部５ｃの先端に設けられた圧接部５ｄが壁面３（収納家具の場合は４ａ）に圧着固定される。
図８の記載されているように調整片５ｂの先端部（使用上は棚板の底面側になる）を指で操作することで自在棚板１の取り付け取り外しが行える。調整片５ｂは自在棚板１の下面側にあるので、収納物を置く際に邪魔にならない。
【００２６】
コイルバネ仕様によれば、機構が複雑になるが正面に圧着部材の操作部分が見えないのでより見映えがよくなる。
【産業上の利用可能性】
【００２７】
以上説明したように、本発明は、対向壁面間において任意の高さに固定することができる自在棚板であり、これは収納家具の棚板
として有用である。
【符号の説明】
【００２８】
１          自在棚板
１ｂ        側面部
１ｃ        挿入部
２          圧着部材（板バネ）
２ｃ        圧接部
３          壁面
４          収納家具
４ａ        側板  
５          圧着部材（コイルバネ）  
【図１】
2019063263.tif 000003
【図２】
2019063263.tif 000004
【図３】
2019063263.tif 000005
【図４】
2019063263.tif 000006
【図５】
2019063263.tif 000007
【図６】
2019063263.tif 000008
【図７】
2019063263.tif 000009
【図８】
2019063263.tif 000010